(57)【要約】  ラジカル（活性種）を含むナノメータサイズの帯電微粒子を発生させて、乾燥肌を示す被験者に対し噴霧することで、肌乾燥を改善させる静電霧化装置を提供する。放電電極１と、放電電極１に液体を供給する液体供給手段２と、放電電極１の液体に高電界を印加する高電圧印加手段３とを備えた静電霧化装置であって、高電圧印加手段は、上記放電電極に供給された上記液体に高電界を印加して、帯電微粒子を１秒間に１×１０14個以上発生させることを特徴とする。
2010021332.tif 000002
【特許請求の範囲】
【請求項１】
放電電極
上記放電電極に液体を供給する液体供給手段
上記放電電極の液体に高電界を印加する高電圧印加手段を備えた静電霧化装置であって、
上記高電圧印加手段は、上記放電電極に供給された上記液体に高電界を印加して、帯電微粒子水を１秒間に１×１０14個以上発生させることを特徴とする静電霧化装置。  
【請求項２】
上記高電圧印加手段は、上記放電電極に供給された上記液体に高電界を印加して、帯電微粒子水を１秒間に１．５×１０14個以上発生させることを特徴とする請求項１記載の静電霧化装置。  
【請求項３】
上記放電電極の先端が、上記対向電極の下端と略同一の位置にあることを特徴とする請求項２記載の静電霧化装置。  
【請求項４】
上記帯電微粒子水は、３〜１００ｎｍの粒子径を有することを特徴とする請求項１又は２に記載の静電霧化装置。
【請求項５】
上記放電電極から距離を隔てて位置する対向電極を、さらに備えたことを特徴とする請求項４記載の静電霧化装置。  
【請求項６】
上記対向電極は、上記放電電極に対向する内面を有し、この内面は、上記放電電極の先端を中心とする所定の曲率半径を有する曲面を有することを特徴とする請求項５記載の静電霧化装置。
【請求項７】
上記対向電極には放出孔が設けられ、上記放出孔には上記放電電極から離れる方向に延出する筒状電極部が備えられることを特徴とする請求項６記載の静電霧化装置。
【発明の詳細な説明】
【技術分野】
【０００１】
本発明は、静電霧化現象によりナノメータサイズの帯電微粒子水を発生させて霧化対象空間に供給するようにした静電霧化装置に関するものである。
【背景技術】
【０００２】
従来から、特開２００５−１３１５４９号公報等により放電電極の先端に保持する液体に高電圧を印加して、放電電極の先端に保持する液体に分裂、飛散（いわゆるレイリー分裂）を繰り返す静電霧化現象を発生させ、この静電霧化現象によってラジカル（活性種）を含むナノメータサイズの帯電微粒子液を生成するようにしたものが知られている。
【発明の開示】
【０００３】
現在、年間を通じて乾燥肌に悩んでいる人が多い。そこで、本発明者は、上記のような静電霧化現象を利用して、ラジカル（活性種）を含むナノメータサイズの帯電微粒子液を発生させて、乾燥肌を示す被験者に対し噴霧し、肌乾燥を改善させることが可能な静電霧化装置を提供することを課題とする研究、開発をおこなった。
【０００４】
本発明は、放電電極と、放電電極に液体を供給する液体供給手段と、放電電極の液体に高電界を印加する高電圧印加手段とを備えた静電霧化装置であって、この高電圧印加手段が、放電電極に供給された液体に高電界を印加して、帯電微粒子水を１秒間に１×１０14個以上発生させることを特徴とする。
【０００５】
本発明の静電霧化装置は、放電電極から１秒間に１×１０14個以上の帯電微粒子水を発生させて、人に噴霧することで、角層の水分蒸発量を少なくし、皮脂量の減少を抑えて、肌のきめを整え、明度を上げて乾燥肌を改善する。
【０００６】
好ましくは、高電圧印加手段は、帯電微粒子水を１秒間に１．５×１０14個以上発生させる。帯電微粒子水の発生量が多くなることで、角層水分量を増やせる。
【０００７】
また、放電電極の先端が、対向電極の下端と略同一の位置にあることが好ましい。この構成によって、印加電圧と電流値を変えることなく、帯電微粒子水の発生量を多くできる。
【０００８】
好ましくは、帯電微粒子水は、３〜１００ｎｍの粒子径を有する。この粒子径は、人体の角質細胞の大きさよりも小さいので、角層表面の奥まで供給できで、角層水分量を増やせる。
【０００９】
さらに、放電電極から距離を隔てて位置する対向電極を、さらに備えることが好ましい。この構成により、帯電微粒子水の発生量を多くすることができる。
【００１０】
また、対向電極は、放電電極に対向する内面を有し、この内面は、放電電極の先端を中心とする所定の曲率半径を有する曲面を有することが好ましい。この構成により、対向電極の内面と放電電極の先端との間の広い範囲で、強力な電界が生じる。これにより、放電電極の先端に対する電界の集中度合いが非常に高くなり、放電電極に供給される液体に効率的に電荷を集中させて、ラジカルを含む帯電微粒子水を大量に発生させることが可能となる。
【００１１】
また、対向電極には放出孔が設けられて、この放出孔には放電電極から離れる方向に延出する筒状電極部が備えられることが好ましい。
【００１２】
この構成により、筒状電極部の内面と放電電極の先端との間においても電界が生じる。これにより、大量に発生した帯電微粒子水は、放出孔から延設される筒状電極部の内面に引き寄せられるように放出孔に導入され、筒状電極部の内部を通過して外部空間に吐出される。その結果として、ラジカルを含む帯電微粒子水を、外部空間に大量に放出することが可能となる。
【００１３】
本発明の静電霧化装置は、帯電微粒子水を１秒間に１×１０14個以上発生させるように高電界を印加するから、乾燥肌の人に噴霧することで、角層の水分蒸発量を少なくし、皮脂量の減少を抑え、肌のきめを整え、明度が上げて乾燥肌を改善するという効果をもたらす。
【図面の簡単な説明】
【００１４】
【図１】本発明の実施形態１に係る静電霧化装置の概略断面図である。
【図２】同上の放電電極及び対向電極間の電界を示す説明図であり、（ａ）は筒状電極部が設けられない場合、（ｂ）は筒状電極部が設けられた場合を示している。
【図３】同上の放電電極及び対向電極の寸法を示す概略側面図である。
【図４】本発明の実施形態１に係る静電霧化装置、及び従来の静電霧化装置を用いて帯電微粒子水を被験者に噴霧したときの、被験者の頬の角層のコンダクタンスを示すグラフである。
【図５】実施例及び比較例における、被験者の頬の皮脂量の変化を示すグラフである。
【図６】実施例及び比較例における、被験者の頬の角層水分蒸発量（ＴＥＷＬ）の変化を示すグラフである。
【図７】実施例及び比較例における、被験者の頬のキメ係数の変化を示すグラフである。
【図８】実施例及び比較例における、被験者の頬のＬ*（明度）の変化を示すグラフである。
【図９】実施例及び比較例における、被験者の頬のａ*（赤味）の変化を示すグラフである。
【図１０】実施例及び比較例における、被験者の頬のＨ（色相）の変化量を示すグラフである。
【図１１】実施例及び比較例における、被験者の頬のＶ（明度）の変化量を示すグラフである。
【図１２】本発明の実施形態２に係る静電霧化装置の放電電極及び対向電極の寸法を示す概略側面図である。
【図１３】従来の静電霧化装置を示す概略構成図である。
【発明を実施するための最良の形態】
【００１５】
以下、本発明を添付図面に示す実施形態に基づいて説明する。【００１６】
図１には、放電電極１から１秒間に１×１０14個以上の水の帯電微粒子（帯電微粒子水）を発生させる本発明の実施形態１に係る静電霧化装置を概略的に示している。【００１７】
図１に示す本発明の静電霧化装置は、棒状の放電電極１と、この放電電極１の先端１ａから距離を隔てて位置するとともに放出孔５ａを中央に有する対向電極５と、この放電電極１の先端１ａに水等の静電霧化用の液体（図示せず）を供給する液体供給手段２と、放電電極１及び対向電極５に電気的に接続されて両電極１、５間に高電圧を印加する高電圧印加手段３とを具備している。【００１８】
液体供給手段２として、放電電極１をアルミニウム等の熱伝導率の高い材質で形成するとともに、この放電電極１の基端部１ｂを、ペルチェユニット８の冷却部８ａ側に接続させてある。これにより、ペルチェユニット８によって放電電極１自体を冷却して放電電極１の表面上に結露水を生成させ、この結露水を静電霧化用の液体として用いる構造である。本発明において液体供給手段２は特に限定されず、例えば放電電極１を多孔質セラミック等の多孔質材や細孔を有する材質で構成し、この放電電極１の基端部１ｂ側を、液タンク（図示せず）内に貯蔵してある液体内に浸すといった他の構成であってもよい。【００１９】
放電電極１の先端１ａに対向する対向電極５の内曲面５ｂは、放電電極１の先端１ａを中心とする所定の曲率半径Ｒを有している。放電電極１の先端１ａを通過する平面でこの内曲面５ｂを切断した断面は、放電電極１の先端１ａを中心とする半径Ｒの円弧状になっている。したがって、この内曲面５ｂ全体と放電電極１の先端１ａとの間には、三次元的に広い範囲で強力な電界が生じる（図２（ａ）中の矢印参照）。【００２０】
さらに、対向電極５に円形に開口する放出孔５ａの周縁には、放電電極１から離れる方向（図中上方）に円筒形の筒状電極部７を延設している。筒状電極部７は、放出孔５ａに連通する開口を一端（図中下側）に有し、外部空間に連通する吐出口７ａを他端（図中上側）に有する。筒状電極部７が備えられることで、筒状電極部７の内面７ｂ全体と放電電極１の先端１ａとの間においても電界が生じるので、筒状電極部７が備えられない場合よりも広い範囲で強力な電界が生じる（図２（ｂ）中の矢印参照）。【００２１】
本発明の実施形態１に係る静電霧化装置４の概略側面図を図３に示す。対向電極５の筒状電極部７の内径Ｄを５．０ｍｍ、筒状電極部７の軸方向の高さＨを１．５ｍｍ、対向電極５の内曲面５ｂの放電電極１側に開口する開口部分５ｃから筒状電極部７の吐出口７ａまでの高さＬを４．０ｍｍ、放電電極１の先端１ａから対向電極５の内曲面５ｂまでの距離Ｒを５．０ｍｍ、放電電極の軸方向での対向電極の下端５ｃと放電電極の先端１ａ間の距離Ｌ２を２．２５ｍｍとしている。また、印加電圧−５ｋＶ、電流６μＡである。この本発明の実施形態１に係る静電霧化装置４は、水の帯電微粒子（帯電微粒子水）が１秒間に１×１０14個以上発生する。【００２２】
筒状電極部７を有する対向電極５は、例えばＳＵＳ３０４等の金属から成る導電性物質を切削、曲げ加工等して一体に形成したものであるが、樹脂成形後に金属めっきを施して形成してもよいし、或いは導電性プラスチック等の導電性物質を用いてもよい。【００２３】
上記構成の静電霧化装置においては、液体供給手段２により放電電極１の先端１ａに液体を供給して保持させる。この状態で、高電圧印加手段３によって、放電電極１の先端１ａ側がマイナス電極となって電荷が集中するように放電電極１と対向電極５との間に高電圧を印加する。電圧の印加によって生じた電界により、放電電極１の先端１ａに保持される液体が帯電し、帯電した液体にクーロン力が働き、液体の液面が局所的に円錐形状に盛り上がる。この円錐形状となった液体（テイラーコーン）の先端に電荷が集中して電荷の密度が高密度となり、高密度の電荷の反発力で弾けるようにして液体が分裂、飛散（いわゆるレイリー分裂）を繰り返して静電霧化を生じる。静電霧化現象により、ラジカル（活性種）を含むナノメータサイズの水の帯電微粒子（帯電微粒子水）が大量に生成され、イオン風に乗って放出孔５ａから装置外へと放出される。【００２４】
ここで、筒状電極部７を有する対向電極５と放電電極１の先端１ａとの間における広範な範囲内で、非常に強力な電界が生じる。したがって、放電電極１の先端１ａに電界が一極集中する度合いが非常に高くなり、放電電極１に保持する液体に効率的に電荷が集中して、水の帯電微粒子（帯電微粒子水）を大量に発生する。【００２５】
加えて、大量に発生した水の帯電微粒子（帯電微粒子水）は、放出孔５ａから延設される筒状電極部７の内周面７ｂに引き寄せられるように放出孔５ａ内に導入され、そのままイオン風に乗って筒状電極部７内を通過し、吐出口７ａから外部空間に向けて吐出される。【００２６】
つまり、対向電極５に更に筒状電極部７を延設してあることで、放電電極１の先端１ａに対して電界を強力に一極集中させて、ラジカルを含む水の帯電微粒子（帯電微粒子水）を大量生成することができるとともに、この大量生成された水の帯電微粒子（帯電微粒子水）を、対向電極５の内曲面５ｂに付着させることなく放出孔５ａを通じて高効率で外部に放出させることができる。結果として、ラジカルを含む水の帯電微粒子（帯電微粒子水）が、外部空間に大量に放出される。【００２７】
本発明の静電霧化装置４は、水の帯電微粒子（帯電微粒子水）を１秒間に１×１０14個以上発生させて、乾燥肌の人に対して噴霧することで、皮脂量の減少を抑えて、角層水分蒸散量を少なくして、柔らかくて弾力のある肌を実現し、肌のキメを整え、明度を上げて、肌乾燥を改善できる。【００２８】
図１２は、本発明の第２の実施形態に係る静電霧化装置４の概略側面図を示している。対向電極５の筒状電極部７の内径Ｄを３．１ｍｍ、筒状電極部７の軸方向の高さＨを１．６ｍｍ、対向電極５の内曲面５ｂの放電電極１側に開口する開口部分５ｃから筒状電極部７の吐出口７ａまでの高さＬを４．１ｍｍ、放電電極１の先端１ａから対向電極５の内曲面５ｂまでの距離Ｒを２．５ｍｍとした。放電電極の軸方向での対向電極の下端５ｃと放電電極の先端１ａ間の距離Ｌ２は略０．０ｍｍである。ただし、距離Ｌ２は、例えば±０．３ｍｍ以内にあればよい。その他の構成は、第１の実施形態と同様である。また、印加電圧−５ｋＶ、電流６μＡである。この本発明の第２の実施形態に係る静電霧化装置４は、水の帯電微粒子（帯電微粒子水）が１秒間に１．５×１０14個以上発生する。【００２９】
第２の実施形態に係る静電霧化装置４は、放電電極１の先端が、対向電極５の下端と略同一の位置にあることによって、印加電圧と電流値を変えることなく、帯電微粒子水の発生量を多くできる。そして、帯電微粒子水の発生量が多くなることで、角層水分量を増やすことができる。【００３０】
以下の実施例では、本発明の実施形態１に係る静電霧化装置４について、モニター試験を行った。
【実施例】
【００３１】
（実施例１）
乾燥肌の被験者に対して、本発明の実施形態１に係る静電霧化装置４と、従来の静電霧化装置４を用いて水の帯電微粒子（帯電微粒子水）が噴霧されたときの、被験者の角層の水分変化を以下の条件で測定した。モニター試験に使用した本発明の実施形態１に係る静電霧化装置４は図１、図３の通りである。印加電圧は−５ｋＶ、電流は６μＡである。この本発明の実施形態１に係る静電霧化装置４は、水の帯電微粒子（帯電微粒子水）が１秒間に１×１０14個以上発生する。【００３２】
モニター試験に用いた従来の静電霧化装置４を図１３に示す。対向電極５が中央に放出孔５ａを有するリング状に形成してあり、放出孔５ａを放電電極１の先端１ａに対向させてあり、図１３のＭ＝５．０ｍｍ、Ｎ＝８．０ｍｍ、Ｇ＝３．０ｍｍで、また、印加電圧−５ｋＶ、電流６μＡである。この従来の静電霧化装置４は、水の帯電微粒子（帯電微粒子水）が１秒間に０．６×１０14個発生する。【００３３】
モニター試験期間は２００７年１０月２４日〜２００７年１１月２日で、被験者として、３５歳〜４５歳の自己申告で乾燥肌の女性６名を選んだ。【００３４】
実施例１のモニター試験は、室内温度２３℃で、湿度３０％の１２畳の部屋で、被験者を２人ずつにして行われた。部屋には、拡散用として１ｍ3／ｈの風量で吐出する空気清浄機の吐出口付近に、本発明の静電霧化装置４を配設し、静電霧化装置４から２ｍ離れた位置に２個の椅子を設置した。被験者は入室直前に顔のみ洗浄して椅子に座り、９０分安静にした。この安静期間は空気清浄機、本発明の静電霧化装置４ともオフの状態である。９０分の安静期間が過ぎた後、空気清浄機、本発明の静電霧化装置４をそれぞれオンにして連続運転をした。本発明の静電霧化装置４から１秒間に１×１０14個以上のラジカルを含むナノメータサイズの水の帯電微粒子（帯電微粒子水）を発生させ、これを空気清浄機から吹き出す空気流に乗せて２人の被験者にラジカルを含むナノメータサイズの水の帯電微粒子（帯電微粒子水）を噴霧した。噴霧開始から１５分毎に被験者の角層水分変化を知るために、コンダクタンス（μＳ）を測定した。【００３５】
比較例でのモニター試験は、室内温度が２３℃で、湿度が３０％である１２畳の部屋に、拡散用として１ｍ3／ｈの風量で吐出する空気清浄機の吐出口付近に、従来の静電霧化装置４を配設し、静電霧化装置４から２ｍ離れた位置に設置した２個の椅子を設置し、上記と同様の方法で上記と同じ６名の被験者を、２人ずつ、上記と同じモニター試験を行った。【００３６】
なお、このモニター試験は、被験者の肌の荒れやすい月経1週間前に当たらない日を選んで行われた。被験者一人に対して、本発明の静電霧化装置４を用いた試験と、従来の静電霧化装置４を用いた試験を、それぞれ別の日に実施した。【００３７】
角層水分量を知るためのコンダクタンス測定方法として、表皮角層水分測定装置（アイ・ビイ・エス株式会社製のＳＫＩＣＯＮ−２００ＥＸ）を使用した。これは、角層水分を皮膚表面のコンダクタンス（電導度）を測定して、表皮角層水分を間接的に瞬時に測定する機器で、プローブ面を測定皮膚に平行と成るように一定の圧力で軽く押し当てて測定する。【００３８】
被験者の頬の左右２箇所の角層のコンダクタンスを測定した。なお、被験者の頬のみ上記安静前にメイク落とし、洗顔を実施（化粧水、乳液をつけず）した。また、計測の度に、頬の左右２箇所をそれぞれ６回ずつ計測し、上下をカットし、４データで評価した。【００３９】
本発明の静電霧化装置４を用いた実施例（Ｉ）と、従来の静電霧化装置４を用いた比較例(ＩＩ)との６人の被験者の頬のコンダクタンスを示すグラフを図４に示す。【００４０】
図４は、時間の経過とともに、コンダクタンスが（Ｉ）の場合において特に上昇し、（Ｉ）と（ＩＩ）間でコンダクタンスの差が大きくなっていくことを示している。すなわち、本発明の静電霧化装置４を用いた実施例では、従来の静電霧化装置を用いた比較例に比べて、角層水分量の増加が著しいことを示している。【００４１】
静電霧化装置４が発生するナノメータサイズの水の帯電微粒子（帯電微粒子水）は、粒径は３〜１００ｎｍであって、人体の角層細胞の大きさよりも小さいので、角層表面の奥まで供給できで、角層水分量を増やせる。このナノメータサイズの帯電微粒子は、皮膚に作用して時間の経過と共に皮膚表面の皮脂を親水化するラジカルを含んでいる。このナノメータサイズの帯電微粒子に含まれるラジカルは、角層の水分が皮膚の表面から放散するのを抑えることで、角層水分量を増やす効果がある。【００４２】
従来の静電霧化装置４では、ラジカルを含む水の帯電微粒子（帯電微粒子水）の発生量が十分でないので、皮膚表面をラジカルで十分に親水化できないと考えられる。【００４３】
本発明の静電霧化装置４では、ラジカルを含む水の帯電微粒子（帯電微粒子水）が十分に発生するので、皮膚表面がラジカルで十分に親水化されて、角層水分量を増加できて乾燥肌を改善できる。【００４４】
（実施例２）
１ｍ3／ｈの風量で吐出する空気清浄機の吐出口付近に、本発明の実施形態１に係る静電霧化装置４を配設した場合の肌への影響（美容効果）を、静電霧化装置４を設けずに同じ空気清浄機のみを配設した場合と比較評価するモニター試験を以下の条件で行った。【００４５】
実施例２の試験では、実施例１と同様、本発明の実施形態１に係る静電霧化装置４を、空気清浄機の吐出口付近に配置して使用した。【００４６】
比較例での試験では、同じ空気清浄機のみを使用し、本発明の静電霧化装置４は使用しなかった。【００４７】
試験期間は２００７年１１月１９日〜２００７年１２月１８日で、被験者は１年を通じて乾燥肌で、特に、冬場は踝、膝の乾燥が目立つ専業主婦のマンション住まいの４５歳±２歳の健常女性２０名を選んだ。この２０名の被験者を、１０名ずつ２つの群（グループＩ、グループＩＩ）に分けた。【００４８】
グループＩの被験者は、各被験者の自宅に、本発明の静電霧化装置４と空気清浄機を置いて、４週間連続運転させた。グループＩＩの被験者は、各被験者の自宅に、空気清浄機のみを置いて、４週間連続運転させた。グループＩ、グループＩＩとも、各被験者の自宅では、暖房機を通常運転させた。グループＩの静電霧化装置４と空気清浄機、グループＩＩの空気清浄機は、昼間は各マンション内の被験者が主にいる場所に置いて運転させ、睡眠時は寝室において運転させた。【００４９】
被験者の頬の皮脂量、角層水分蒸発量（ＴＥＷＬ）、キメ係数、肌色の測定を、スタート時、スタートから２週間後、スタートから４週間後の３回行った。【００５０】
肌測定のテストは二重目盲検法により行う（テスト品と、対照品の振り分けはモニター管理者が行い、モニターと測定担当者には知らせない）。【００５１】
洗顔後、温度２２℃、湿度５０％に調整した環境試験室内で２０分間座位で安静にした後、下記の測定項目につき測定した。【００５２】
皮脂量測定には、油分計ＳＥＢＭＥＴＥＲ  Ｃｏｕｒａｇｅ＋Ｋｈａｚａｋａ社製のＳＭ８１５を使用した。測定原理は、光透過量測定法で、皮脂スポット光度計である。ＳＥＢＭＥＴＥＲのカセットは、厚さ０．１ｍｍの不透明なプラスチックテープを収納して、随時新しい測定部分が現れるもので、測定ヘッド面積は６４ｍｍ2、測定時間は３０秒、皮脂のついたカセットを本体に差し込むと、本体側の受光部でテープの透明度が計算され、皮脂が多い程透明度が高くなり、測定結果は、皮膚表面の油分をμｇ／ｃｍ2単位で表示する。【００５３】
角層水分蒸散量（ＴＥＷＬ）測定には、ＴＥＷＡＭＥＴＥＲ  ＣＯ．Ｌｔｄ社製のＴＭ３００を使用した。オープンチャンバー方式で、皮膚表面から蒸散した水分量を測定する。水分蒸散量は、皮膚から上方へと流れる蒸散空気流に対しプローブの筒内のセンサーが、垂直方向から蒸散量を読み取る仕組みになっており、測定の際は、測定部位を横に寝かせ、常に皮膚角層からの蒸散が真っ直ぐ上方へ移動する状態にし、必ず、プローブをこの上昇気流に対し垂直になるようにし、皮膚表面に軽くのせる。単位はｇ／ｍ2ｈ。【００５４】
キメ係数測定には、ダイレクトスキンセンサー  IIIＢＰ  ＮＥＣ社製のＨＰＦ−５９０３Ａ  ダイレクトスキンアナライザー（ＤＳＡ）  ＤＳ３ＣＡ−１０２１を使用した。測定部位にＤＳＡセンサー部を接触させ、画像を取り込む。画像取り込み処理は、センサー部に内蔵された光源（ＵＶストロボ）から３２０〜４００ｎｍの紫外線を皮膚に照射し、表面画像をＣＣＤカメラで捉える。その画像をディジタイザーに入力し、画像全体の輝度分布（０−６３段階）を求め、２値化画像を作成する。キメ係数は２値化画像全体を１３×１３メッシュに分けたときの各メッシュにおける黒画素の変動係数で、皮膚の均一性を表す。【００５５】
肌色測定計には、分光測色計  コニカミノルタ社製のＣＭ−２６００ｄを使用した。積分球内で拡散されたパルスキセノンランプの光を測定試料面に均一に照射し、測定試料からの反射光と積分球内の拡散光を受光し、３６０〜７４０ｎｍの波長領域を１０ｎｍピッチで分光し、その光の強度に応じた電流をアナログ処理回路に出力することによって測定する。【００５６】
上記の各計測機器を用いて、静電霧化装置４と空気清浄機を使用したグループＩと、空気清浄機のみを使用したグループＩＩの被験者について、それぞれ、スタート時、スタートから２週間後、スタートから４週間後の３回、下記の測定項目毎に上記の計測方法で、上記の各計測項目につき計測機器を用いて計測した。測定結果を図５から図１２に示す。【００５７】
なお、図５から図１２に示すグラフにおいて、「*」は５％以下の危険率で有意であること、「×」は１０パーセント以下の危険率で有意であることを示す。【００５８】
図５は、頬の皮脂量の変化を示している。グループＩと、グループＩＩそれぞれについて、スタート時を基準値（０．０）としたときの、スタート時から２週間後、４週間後における頬の皮脂量の変化量を示している。【００５９】
上記グラフにおいて、グループＩＩは、秋から冬へと季節が移行する時期において、スタートから２週目に皮脂量が大きく減少し、４週目も大きく減少している。一方、グループＩは、スタートから２週目に皮脂量が少し増え、４週目に僅かに減少している。そして、２週目のグループＩと、グループＩＩとの間には５％以下の危険率で有意差が認められた。【００６０】
図６は、頬の角層水分蒸発量（ＴＥＷＬ）の変化を示している。グループＩと、グループＩＩそれぞれについて、スタート時を基準値（０．０）としたときの、スタート時から２週間後、４週間後における頬の角層水分蒸発量の変化量を示している。【００６１】
上記グラフにおいて、グループＩＩにおいては、スタートから２週目、４週目のいずれもスタート時に比べわずかに角層水分蒸発量が減少しているが、グループＩにおいては、スタートから２週目、４週目のいずれもスタート時に比べ角層水分蒸発量が大きく減少している。そして、スタート時を０とした変化量は、グループＩとグループＩＩとの間にスタートから２週目に５％以下の危険率で、４週目に１０％以下の危険率で有意差が認められ、２週目、４週目のいずれもグループＩの角層水分蒸発量（ＴＥＷＬ）が有意に減少したことが判る。【００６２】
ここで、ＴＥＷＬは肌荒れが改善して角層が整うと減少する。したがって、グループＩが、グループＩＩに比べ、肌荒れが改善して角層が整ったといえる。【００６３】
図７は、キメ係数の変化を示している。グループＩと、グループＩＩそれぞれについて、スタート時を基準値（０．０）としたときの、スタート時から２週間後、４週間後における頬のキメ係数の変化量を示している。【００６４】
スタートから２週間後において、グループＩのキメ係数は、グループＩＩのキメ係数に比べ、１０パーセント以下の危険率で有意に改善したことが判る。【００６５】
図８は、Ｌ*（明度）の変化を示している。グループＩと、グループＩＩそれぞれについて、スタート時を基準値（０．０）としたときの、スタート時から２週間後、４週間後における頬のＬ*（明度）の変化量を示している。【００６６】
図９は、ａ*（赤味）の変化を示している。グループＩと、グループＩＩそれぞれについて、スタート時を基準値（０．０）としたときの、スタート時から２週間後、４週間後における頬のａ*（赤味）の変化量を示している。【００６７】
図１０は、Ｈ（色相）の変化を示している。グループＩと、グループＩＩそれぞれについて、スタート時を基準値（０．０）としたときの、スタート時から２週間後、４週間後における頬のＨ（色相）の変化量を示している。【００６８】
図１１は、Ｖ（明度）の変化を示している。グループＩと、グループＩＩそれぞれについて、スタート時を基準値（０．０）としたときの、スタート時から２週間後、４週間後における頬のＨ（色相）の変化量を示している。【００６９】
上記図８、図９、図１０、図１１から明らかなように、スタート時を基準値（０．０）とした変化量にいくらかの有意差が認められた。【００７０】
Ｌａｂ測色系では、２周目のＬ*（明度）の変化量が１０％以下の危険率で有意にグループＩが、グループＩＩよりも明るい方向に変化した。【００７１】
また、２週目のａ*（赤味）の変化量が１０％以下の危険率で有意に、グループＩがグループＩＩより赤い方向に戻った。【００７２】
また、ＨＶＣ測色系では２周目のＶ（明度）の変化量が１０％以下の危険率で有意にグループＩがグループＩＩより明るい方向に変化し、グループＩの２週目と、４週目のＨ（色相）の変化量に１０％以下の危険率で有意差が認められた。
【図１】
2010021332.tif 000003
【図２】
2010021332.tif 000004
【図３】
2010021332.tif 000005
【図４】
2010021332.tif 000006
【図５】
2010021332.tif 000007
【図６】
2010021332.tif 000008
【図７】
2010021332.tif 000009
【図８】
2010021332.tif 000010
【図９】
2010021332.tif 000011
【図１０】
2010021332.tif 000012
【図１１】
2010021332.tif 000013
【図１２】
2010021332.tif 000014
【図１３】
2010021332.tif 000015
【手続補正書】
【提出日】平成22年9月3日(2010.9.3)
【手続補正１】
【補正対象書類名】特許請求の範囲
【補正対象項目名】全文
【補正方法】変更
【補正の内容】
【特許請求の範囲】
【請求項１】
放電電極に供給された水に高電圧を印加し、１秒間に１×１０の１４乗個以上であって、ラジカルを含み、当該ラジカルにより皮膚表面の皮脂を親水化するための帯電微粒子水を生成することを特徴とする静電霧化装置。
【請求項２】
１秒間に１．５×１０の１４乗個以上の前記帯電微粒子水を生成することを特徴とする請求項１に記載の静電霧化装置。
【請求項３】
粒径３〜１００ｎｍの前記帯電微粒子水を生成することを特徴とする請求項１または２記載の静電霧化装置。
【国際調査報告】
2010021332.tif 000016
2010021332.tif 000017